(57)【特許請求の範囲】
【請求項１】
後軸の前方に位置する把持部に、内軸と該内軸に外嵌した緩衝材と該緩衝材に外嵌した外軸とを有した筆記具の軸筒において、前記緩衝材を軟質材で構成し、前記外軸を変形不能な非軟質材で構成し、前記外軸の後端に突起を形成し、且つ前記後軸に前記外軸の突起に係合する切欠部を形成し、前記外軸の突起を前記後軸の切欠部に係合した状態で該突起の内方に隙間を形成し、前記緩衝材の前部に外鍔を形成するとともに該緩衝材の表面に突部を形成し、前記緩衝材の外鍔及び突部に前記外軸を接触させて前記内軸に対して該外軸が長手方向及び径方向に揺動可能に且つ回動不能に構成したことを特徴とする筆記具の軸筒。
【発明の詳細な説明】
【技術分野】
【０００１】
本発明は、ボールペン、シャープペンシル等の筆記具の軸筒において、内軸と外軸の間に軟質材で構成された緩衝材を設けた筆記具の軸筒に関する。
【背景技術】
【０００２】
従来、下グリップカバーの硬度を上グリップカバーの硬度と比較して小さくし、かつ下グリップカバーと軸筒とを同時成形した筆記具のグリップ構造が知られている。（特許文献１参照）
【０００３】
しかしながら、上記筆記具のグリップ構造は、筆記者の指先にフィットして長時間の筆記による疲労を予防する利点はあるが、内グリップカバーに対して外グリップカバーが長手方向に移動することは不可能であった。
【先行技術文献】
【特許文献】
【０００４】
【特許文献１】特開２００４−６６５６０号公報
【発明の概要】
【発明が解決しようとする課題】
【０００５】
解決しようとする問題点は、外グリップカバーが内グリップカバーに対して長手方向に揺動できず、筆記時において柔らかい筆記感を得ることが出来ない点である。
【課題を解決するための手段】
【０００６】
本発明は、後軸の前方に位置する把持部に、内軸と該内軸に外嵌した緩衝材と該緩衝材に外嵌した外軸とを有した筆記具の軸筒において、前記緩衝材を軟質材で構成し、前記外軸を変形不能な非軟質材で構成し、前記外軸の後端に突起を形成し、且つ前記後軸に前記外軸の突起に係合する切欠部を形成し、前記外軸の突起を前記後軸の切欠部に係合した状態で該突起の内方に隙間を形成し、前記緩衝材の前部に外鍔を形成するとともに該緩衝材の表面に突部を形成し、前記緩衝材の外鍔及び突部に前記外軸を接触させて前記内軸に対して該外軸が長手方向及び径方向に揺動可能に且つ回動不能に構成したことを要旨とする。
【０００７】
【発明の効果】
【０００８】
本発明の筆記具の軸筒は、内軸の把持部に設けられかつ軟質材で構成された緩衝材と、緩衝材の外側に被せられかつ緩衝材より硬い材質で構成された外軸とを有し、内軸に対して外軸が長手方向及び径方向に揺動することにより、筆記した時に柔らかい筆記感を得ることができる。また、外軸の前後に隙間が生じないので外観を損なうこともない。
【図面の簡単な説明】
【０００９】
【図１】図１は本発明の実施例１の筆記具の軸筒を示す部分断面図である。（実施例１）
【図２】図２は図１の主要部を示す拡大部分断面図である。（実施例１）
【図３】図３は本発明の実施例２の筆記具の軸筒を示す主要部拡大部分断面図である。（実施例２）
【図４】図４は図３のＡ−Ａ線を示す拡大断面図である。（実施例２）
【図５】図５は本発明の実施例３の筆記具の軸筒を示す主要部拡大部分断面図である。（実施例３）
【図６】図６は本発明の実施例３の筆記具の軸筒を示す主要部拡大部分断面図である。（実施例３）
【図７】図７は参考例の筆記具の軸筒を示す主要部拡大部分断面図である。（参考例）
【図８】図８は参考例の筆記具の軸筒を示す主要部拡大部分断面図である。（参考例）
【発明を実施するための形態】
【００１０】
筆記時に外軸が長手方向及び径方向に揺動し、シャープペンシルやボールペンといった芯やペン先が硬い材質で構成されていても柔らかい筆記感を得ることができる筆記具の軸筒を実現した。
【実施例１】
【００１１】
以下、図１及び図２に基づいて本発明における実施例１の筆記具の軸筒１０を説明する。また、図１の左側を前方とし、右側を後方とする。先ず、内軸１の後部に後軸２が着脱可能に螺合され、この後軸２にクリップ３が一体に形成される。前記内軸１の把持部１Ａにゴム等の軟質材からなる緩衝材４が外嵌される。
【００１２】
この緩衝材４の前部には外鍔４Ａが形成されるとともに、緩衝材４の表面には円周状の突部４Ｂが前後に２個形成されている。更に、合成樹脂製あるいは金属製で非軟質材の外軸５を構成する。尚、外軸５は緩衝材４より硬いゴム製で構成しても良い。この外軸５を前記緩衝材４の外側に外嵌し、外軸５の後端に形成した突起５Ａを後軸２の切欠部２Ａに係合させる。尚、外軸５の突起５Ａと後軸２の間には適度の隙間が構成される。従って、後軸２に対し外軸５は長手方向及び径方向には揺動可能となるが回動不能に構成される。また、緩衝材４は、外軸５を揺動可能に構成するためにはゴム硬度が１５程度に構成することが好ましい。
【００１３】
更に、内軸１の前部に先部材６が着脱可能に螺合され、先部材６と内軸１の外鍔１Ｂの間に緩衝材４が配置される。また、外軸５は緩衝材４の外鍔４Ａと後軸２の前端の間に挾持されるとともに、緩衝材４の突部４Ｂが外軸５の内面に接触する。前記内軸１、緩衝材４、外軸５及び後軸２により筆記具の軸筒１０が構成される。
【００１４】
この筆記具の軸筒１０内には、従来一般的に知られているシャープペンシルの機構部やボールペンのレフィール等が内蔵され筆記具が構成される。
【００１５】
上記筆記具で筆記を行うと、緩衝材４の外鍔４Ａを圧縮して外軸５が長手方向前方に揺動するとともに、緩衝材４の突部４Ｂを圧縮して外軸５が径方向に揺動し、筆記した時に毛筆で筆記した様な柔らかい筆記感で筆記を行うことができる。また、外軸５の後端と後軸２の前端、あるいは外軸５と先部材６の間に隙間が生じないので外観を損なうこともない。更に、外軸５を非軟質材で構成した場合には、外軸５を強く保持しても外軸５が変形しないので、外軸５が確実に揺動することができる。
【実施例２】
【００１６】
次に、図３及び図４に基づいて本発明における実施例２の筆記具の軸筒２０を説明する。尚、図１と同一部材は同一の符号を付してその説明を省略する。先ず、ゴム等の軟質材からなる緩衝材１４の前部には外鍔１４Ａが形成されるとともに、緩衝材１４の表面には円周方向等間隔に長手方向に伸びた突部１４Ｂを複数形成する。更に、緩衝材１４の外側に合成樹脂製、金属製あるいは緩衝材１４より硬いゴム製の外軸５が外嵌される。
【実施例３】
【００１７】
更に、図５及び図６に基づいて本発明における実施例３の筆記具の軸筒３０を説明する。尚、図１と同一部材は同一の符号を付してその説明を省略する。先ず、ゴム等の軟質材からなる緩衝材２４の前部には外鍔２４Ａが形成されるとともに、緩衝材２４の表面には円周方向及び長手方向等間隔に突部２４Ｂが複数形成される。更に緩衝材２４の外側に合成樹脂製、金属製あるいは緩衝材２４より硬いゴム製の外軸５が外嵌される。
（参考例）
【００１８】
更にまた、図７及び図８に基づいて本発明における参考例の筆記具の軸筒を説明する。尚、図１と同一部材は同一の符号を付してその説明を省略する。先ず、内軸１の後部に後軸１２が着脱可能に螺合される。この内軸１の把持部１Ａにゴム等の軟質材からなる緩衝材３４が外嵌される。この緩衝材３４の前部及び後部に外鍔３４Ａを形成するとともに、緩衝材３４の外鍔３４Ａから円周方向等間隔に突起３４Ｃを構成する。更に、緩衝材３４の表面には突起３４Ｃから伸びた突部３４Ｂが円周方向等間隔に形成されている。この緩衝材３４の外側には円筒状の外軸１５が外嵌され、緩衝材３４の前後の外鍔３４Ａに形成された突起３４Ｃの間に外軸１５を配置する。また、外軸１５の内面に緩衝材３４の突部３４Ｂが接触する。
【００１９】
上記参考例の筆記具で筆記を行うと、緩衝材３４の前後の外鍔３４Ａに形成した突起３４Ｃを圧縮して外軸１５が長手方向の前後に揺動するとともに、緩衝材３４の突部３４Ｂを圧縮して外軸１５が径方向に揺動し、筆記した時に毛筆で筆記した様な柔らかい筆記感で筆記を行うことができる。特に外軸１５が長手方向に揺動する時に、弱い力で揺動できるので筆圧が弱い人でも柔らかい筆記感で筆記を行うことができる。
【００２０】
尚、本発明は上記実施例に限定されるものではなく、内軸と後軸は一体に構成してもよい。また、内軸、後軸、芯タンクといった部材は説明を簡略化するためにそれぞれ１個の部品として図示しているが、それぞれ２個以上の部品を螺合、嵌合して一体化すればよい。更に、上記実施例はいずれも内軸に緩衝材を被せて構成したが、内軸と緩衝材を２色成形で構成しても良い。更にまた、外形形状も図示のものに限定されないことは勿論である。
【産業上の利用可能性】
【００２１】
筆記時に、内軸と外軸の間に設けた緩衝材を圧縮させて内軸に対して外軸を揺動し、柔らかい筆記感で筆記できる筆記具の軸筒に適用できる。
【符号の説明】
【００２２】
１    内軸
１Ａ  内軸１の把持部
４  緩衝材
４Ａ  緩衝材４の外鍔
４Ｂ  緩衝材４の突部
５  外軸
１０  筆記具の軸筒  
１４  緩衝材
１４Ａ  緩衝材１４の外鍔
１４Ｂ  緩衝材１４の突部
１５  外軸
２０  筆記具の軸筒
２４  緩衝材
２４Ａ  緩衝材２４の外鍔
２４Ｂ  緩衝材２４の突部
３０  筆記具の軸筒
３４  緩衝材
３４Ａ  緩衝材３４の外鍔
３４Ｂ  緩衝材３４の突部
【図１】
0005501698.tif 000002
【図２】
0005501698.tif 000003
【図３】
0005501698.tif 000004
【図４】
0005501698.tif 000005
【図５】
0005501698.tif 000006
【図６】
0005501698.tif 000007
【図７】
0005501698.tif 000008
【図８】
0005501698.tif 000009